(57)【特許請求の範囲】
【請求項１】
縁取支桿（１２）がカーテン生地（１１）の上縁（１３）に沿って取り付けられており、その上縁（１３）の先後両端部にカーテンレールを走行するランナーに係合する吊り具（１４）が取り付けられており、裏面生地（１５）と表面生地（１６）がカーテン生地の上縁（１３）に平行に上下二重に縫合されており、その上側の縫目が続く第１縫合ライン（１７）と下側の縫目が続く第２縫合ライン（１８）の間が、裏面生地（１５）と表面生地（１６）に挟まれてカーテン生地の上縁（１３）に平行に続く空洞（１９）になっており、その空洞（１９）の一端が縫目（３５）によって閉じられており、その空洞（１９）の他端には空洞（１９）に縁取支桿（１２）を挿入するための差込み孔（３７）が設けられており、その空洞（１９）に縁取支桿（１２）が挿入されており、その第１縫合ライン（１７）の上側に吊り具（１４）が配置されているパネル型カーテン。
【請求項２】
縁取支桿（１２）がカーテン生地（１１）の上縁（１３）に沿って取り付けられており、その上縁（１３）の先後両端部にカーテンレールを走行するランナーに係合する吊り具（１４）が取り付けられており、カーテン生地の上縁部が裏面生地（１５）と表面生地（１６）の重なった二重構造を成し、それらの二重構造を成す裏面生地（１５）と表面生地（１６）の間に縁取支桿（１２）と吊り具（１４）が、吊り具（１４）のランナーに係合する鉤先（２６）を含めて、挟まれているパネル型カーテン。
【請求項３】
二重構造を成す裏面生地（１５）と表面生地（１６）が、カーテン生地の上縁部の下側において、カーテン生地の上縁（１３）に平行に上下二重に縫合されており、その上側の縫目が続く第１縫合ライン（１７）と下側の縫目が続く第２縫合ライン（１８）の間が、裏面生地（１５）と表面生地（１６）に挟まれてカーテン生地の上縁（１３）に平行に続く空洞（１９）になっており、その空洞（１９）に縁取支桿（１２）が挿入されており、その第１縫合ライン（１７）の上側に吊り具（１４）が配置されている前掲請求項２に記載のパネル型カーテン。
【請求項４】
吊り具（１４）の左右において裏面生地（１５）と表面生地（１６）が縫合され、その左側の縫目（２０）と右側の縫目（２１）とカーテン生地の上縁に平行に続く縫合ライン（１７）に囲まれ、裏面生地（１５）と表面生地（１６）に挟まれたポケット（２２）が形成されている前掲請求項２と３の何れかに記載のパネル型カーテン。
【請求項５】
二重構造を成す裏面生地（１５）と表面生地（１６）の間に芯地（２３・２４）が挟まれており、その芯地（２３・２４）が裏面生地（１５）と表面生地（１６）との少なくとも片方に縫合されており、芯地（２３・２４）が糸条によって織成または編成され、その一部の糸条が芯地（２３・２４）から突き出た輪奈（２５）を形成しており、その輪奈（２５）が、カーテンレールを走行するランナーに係合する吊り具（１４）を構成している前掲請求項２と３と４の何れかに記載のパネル型カーテン。
【請求項６】
（ａ）  吊り具（１４）の左右において裏面生地（１５）と表面生地（１６）が縫合され、その左側の縫目（２０）と右側の縫目（２１）とカーテン生地の上縁に平行に続く縫合ライン（１７）に囲まれ、裏面生地（１５）と表面生地（１６）に挟まれたポケット（２２）が形成されており、（ｂ）  二重構造を成す裏面生地（１５）と表面生地（１６）の間に芯地（２３・２４）が挟まれており、その芯地（２３・２４）が裏面生地（１５）と表面生地（１６）との少なくとも片方に縫合されており、芯地（２３・２４）が糸条によって織成または編成され、その一部の糸条が芯地（２３・２４）から突き出た輪奈（２５）を形成しており、（ｃ）  芯地（２３・２４）から突き出た輪奈（２５）がポケット（２２）の底部からポケット内部に突出しており、（ｄ）  Ｓ字状に折れ曲がっていて互いに逆向きになった鉤先（２６・２７）が両端に形成されたＳ字形フック（２８）の一方の鉤先（２７）がポケット内部に突出している芯地（２３・２４）の輪奈（２５）に係合しており、（ｅ）  それらのＳ字形フック（２８）と輪奈（２５）によって吊り具（１４）が構成されている前掲請求項２と３の何れかに記載のパネル型カーテン。
【請求項７】
Ｓ字形フック（２８）の輪奈（２５）に係合している鉤先（２７）とは異なるＳ字形フック（２８）の他の鉤先（２６）がカーテン生地の上縁（１３）から出没可能になっており、その出没可能な鉤先（２６）からポケット（２２）の底部までの距離Ｍがカーテン生地の上縁（１３）からポケット（２２）の底部までの距離Ｎよりも短い前掲請求項６に記載のパネル型カーテン。
【請求項８】
（イ）  カーテン生地の端縁部に１８０度折り返して付けられた第１折目（３１）と、その第１折目（３１）からカーテン生地の端縁へと続く第１折返代（４１）に第１折目（３１）の折返方向とは逆方向に１８０度折り返して付けられた第２折目（３２）と、その第２折目（３２）からカーテン生地の端縁へと続く第２折返代（４２）に第２折目（３２）の折返方向と同方向に１８０度折り返して付けられた第３折目（３３）との３条の折目（３１・３２・３３）が平行に付けられており、（ロ）  端縁部のカーテン生地の本体部分（１１）と、第１折目（３１）と第２折目（３２）の間の第１折返代（４１）と、第２折目（３２）と第３折目（３３）の間の第２折返代（４２）が重なり、且つ、第１折目（３１）と第３折目（３２）が重なってカーテン生地の端縁部がＮ字状断面構造を成し、（ハ）  その重なり合う第１折返代（４１）と第２折返代（４２）が構成するＶ字溝状断面構造の折畳隙間（３０）に、第３折目（３３）からカーテン生地の端縁へと続く第３折返代（４３）が挟み込まれており、（ニ）  それら第１と第２と第３の各折目（３１・３２・３３）が１８０度折り返された状態にセットされており、（ホ）  第１折目（３１）から続くカーテン生地の本体部分（１１）に第２折目（３２）が接合されて密着している前掲請求項１と２と３と４と５と６と７の何れかに記載のパネル型カーテン。
【請求項９】
カーテン生地の上縁部の表面生地（１６）がカーテン生地の本体部分（１１）と第１折返代（４１）の重なった二重構造を成し、カーテン生地の上縁の裏面生地（１５）が第２折返代（４２）と第３折返代（４３）の重なった二重構造を成している前掲請求項８に記載のパネル型カーテン。
【発明の詳細な説明】
【０００１】
【発明の属する技術分野】
本発明は、カーテンレールを走行するランナーにカーテン生地の上縁の先後両端を連結して吊り下げられ、設定された所定の幅を保ってカーテンレールの長さ方向に移動し開閉操作されるパネル型カーテンに関するものである。
【０００２】
【従来の技術】
カーテンレールを走行するランナーにカーテン生地の上縁の先後両端を連結して吊り下げられ、設定された所定の幅を保ってカーテンレールの長さ方向に移動し開閉操作されるパネル型カーテンは、パネルスクリーンとの名称をもって実開昭５９−５８１９８（実公平１−７８３０）と実開昭５９−６７４９７（実公平１−７８３１）に開示されており、又、実開昭５４−１７９９２１にも記載され公知である。本願出願人は、適宜簡便且つ容易に通常のカーテンに取り替えて使用することが出来、その使用によって居住空間が狭められることがなく、一般家庭での使用に適したパネル型カーテン開閉装置を開発した。
【０００３】
そのパネル型カーテン装置装置では、カーテン生地の上縁部分と下縁部分に桿材が取り付けられており、それらの桿材によってカーテン生地の幅Ｗが所定の寸法に設定され、図１０に示すように、１本のカーテンレール５９に複数枚のパネル型カーテン５８ａ・５８ｂが吊り下げられている。その隣合う一方のパネル型カーテン５８ａの上縁の一端に連結されたランナー５２ａは、その隣合う他方のパネル型カーテン５８ｂの上縁の先端に連結されたランナー５１ａと後端に連結されたランナー５２ｂとの先後両端の２つのランナーの間に介在している。このため、隣合う何れのパネル型カーテン５８ａ・５８ｂも、互いに一方５８ａの両端のランナー５１ａとランナー５２ａの間に位置する他方５８ｂのランナー５１ｂは、その一方５８ａの両端の何れかのランナー５１ａ（５２ａ）に突き当たるまで、その一方５８ａの両端のランナー５１ａと５２ｂの間を自由に走行して開閉操作され、その一方のパネル型カーテン５８ａの何れかのランナー５１ａ（５２ａ）に他方のパネル型カーテン５８ｂのランナー５１ｂが突き当たるときは、その隣合う２枚のパネル型カーテン５８ａ・５８ｂは、表裏二重に重なり合ってカーテンの開かれた状態になるか、又は、左右隣合って並んでカーテンの閉じられた状態になる。このため、複数枚のパネル型カーテンを移動し開閉するためのカーテンレールは１本で済み、既設の１本のカーテンレールに吊り下げられている既存の通常のカーテンに代えてパネル型カーテンを使用することが出来、その使用にカーテンレールを増設したり取り替える必要がなく、カーテンレールが１本で済むので居住空間が狭められない等々の利点がある。
【０００４】
【発明が解決しようとする課題】
ところで、この先行のパネル型カーテンでは、カーテン生地１１の上縁１３を、カーテン生地１１の表裏方向に弓形に弛み出ないようにカーテン生地１１の幅方向Ｗに緊張し、カーテンレール５９に沿って一直線状に保つための縁取支桿１２が必要とされた。そこで、ランナー５１・５２に係合するフック５６には嵌合孔５３の付設されたものを使用し、その嵌合孔５３に縁取支桿１２の先端５４を嵌め込んで、縁取支桿１２をカーテン生地１１に取り付けることにした。従って、先行のパネル型カーテンでは、図１０に示すように、縁取支桿１２は、フック５６とフック５６の間で支架され、カーテン生地１１の外面に露出している。図１０において、５５は、縁取支桿１２に装着されたストッパーであり、そのストッパー５５が嵌合孔５３に当たって、縁取支桿１２が嵌合孔５３を貫通して抜け出ることがないようになっている。しかし、このように縁取支桿１２の取り付けられた先行のパネル型カーテンでは、嵌合孔５３から突き出た縁取支桿１２の先端５４が、時として隣合うカーテン生地に突き刺さり、或いは、折れ、或いは、カーテン生地が破れ、或いは、縁取支桿１２から伝わる衝撃によってフック５６が破損する等の不具合が生じた。又、先行のパネル型カーテンでは、フック５６や縁取支桿１２が露出していて全体の美観が損なわれ、それが隣合うパネル型カーテン５８ａ・５８ｂに触れ合って開閉の妨げになるだけではなく、カーテン生地の上縁が摩耗し易くなる等の点でも不具合があった。
【０００５】
【発明の目的】
本発明は、これらの不具合を解消し、開閉がスムースで使い勝手がよく、フックや縁取支桿が目障りにならず、表裏何れの側から見てもスッキリして見栄えのよいパネル型カーテンを得ることを目的とする。
【０００６】
【課題を解決するための手段】
本発明に係るパネル型カーテンは、縁取支桿１２がカーテン生地１１の上縁１３に沿って取り付けられており、その上縁１３の先後両端部にカーテンレールを走行するランナーに係合する吊り具１４が取り付けられており、裏面生地１５と表面生地１６がカーテン生地の上縁１３に平行に上下二重に縫合されており、その上側の縫目が続く第１縫合ライン１７と下側の縫目が続く第２縫合ライン１８の間が、裏面生地１５と表面生地１６に挟まれてカーテン生地の上縁１３に平行に続く空洞１９になっており、その空洞１９の一端が縫目３５によって閉じられており、その空洞１９の他端には空洞１９に縁取支桿１２を挿入するための差込み孔３７が設けられており、その空洞１９に縁取支桿１２が挿入されており、その第１縫合ライン１７の上側に吊り具１４が配置されていることを第１の特徴とする。
【０００７】
本発明に係るパネル型カーテンの第２の特徴は、縁取支桿１２がカーテン生地１１の上縁１３に沿って取り付けられており、その上縁１３の先後両端部にカーテンレールを走行するランナーに係合する吊り具１４が取り付けられており、カーテン生地の上縁部が裏面生地１５と表面生地１６の重なった二重構造を成し、それらの二重構造を成す裏面生地１５と表面生地１６の間に縁取支桿１２と吊り具１４が、吊り具１４のランナーに係合する鉤先２６を含めて、挟まれている点にある。
【０００８】
本発明に係るパネル型カーテンの第３の特徴は、上記第２の特徴に加えて、二重構造を成す裏面生地１５と表面生地１６が、カーテン生地の上縁部の下側において、カーテン生地の上縁１３に平行に上下二重に縫合されており、その上側の縫目が続く第１縫合ライン１７と下側の縫目が続く第２縫合ライン１８の間が、裏面生地１５と表面生地１６に挟まれてカーテン生地の上縁１３に平行に続く空洞１９になっており、その空洞１９に縁取支桿１２が挿入されており、その第１縫合ライン１７の上側に吊り具１４が配置されている点にある。
【０００９】
本発明に係るパネル型カーテンの第４の特徴は、上記第２および第３の何れかの特徴に加えて、吊り具１４の左右において裏面生地１５と表面生地１６が縫合され、その左側の縫目２０と右側の縫目２１とカーテン生地の上縁に平行に続く縫合ライン１７に囲まれ、裏面生地１５と表面生地１６に挟まれたポケット２２が形成されている点にある。
【００１０】
本発明に係るパネル型カーテンの第５の特徴は、上記第２、第３および第４の何れかの特徴に加えて、二重構造を成す裏面生地１５と表面生地１６の間に芯地２３（２４）が挟まれており、その芯地２３（２４）が裏面生地１５と表面生地１６との少なくとも片方に縫合されており、芯地２３（２４）が糸条によって織成または編成され、その一部の糸条が芯地２３（２４）から突き出た輪奈２５を形成しており、その輪奈２５がカーテンレールを走行するランナーに係合する吊り具１４を構成している点にある。
【００１１】
本発明に係るパネル型カーテンの第６の特徴は、上記第２および第３の何れかの特徴に加えて、（ａ）  吊り具１４の左右において裏面生地１５と表面生地１６が縫合され、その左側の縫目２０と右側の縫目２１とカーテン生地の上縁に平行に続く縫合ライン１７に囲まれ、裏面生地１５と表面生地１６に挟まれたポケット２２が形成されており、（ｂ）  二重構造を成す裏面生地１５と表面生地１６の間に芯地２３（２４）が挟まれており、その芯地２３（２４）が裏面生地１５と表面生地１６との少なくとも片方に縫合されており、芯地２３（２４）が糸条によって織成または編成され、その一部の糸条が芯地２３（２４）から突き出た輪奈２５を形成しており、（ｃ）  芯地２３（２４）から突き出た輪奈２５がポケット２２の底部からポケット内部に突出しており、（ｄ）  Ｓ字状に折れ曲がっていて互いに逆向きになった鉤先２６・２７が両端に形成されたＳ字形フック２８の一方の鉤先２７がポケット内部に突出している芯地２３（２４）の輪奈２５に係合しており、（ｅ）  それらのＳ字形フック２８と輪奈２５が吊り具１４を構成している点にある。
【００１２】
本発明に係るパネル型カーテンの第７の特徴は、上記第６の特徴に加えて、Ｓ字形フック２８の輪奈２５に係合している鉤先２７とは異なるＳ字形フック２８の他の鉤先２６がカーテン生地の上縁１３から出没可能になっており、その出没可能な鉤先２６からポケット２２の底部までの距離Ｍが、カーテン生地の上縁１３からポケット２２の底部までの距離Ｎよりも短い点にある。
【００１３】
本発明に係るパネル型カーテンの第８の特徴は、上記第１、第２、第３、第４、第５、第６および第７の何れかの特徴に加えて、（イ）  カーテン生地の端縁部に１８０度折り返して付けられた第１折目３１と、その第１折目３１からカーテン生地の端縁へと続く第１折返代４１に第１折目３１の折返方向とは逆方向に１８０度折り返して付けられた第２折目３２と、その第２折目３２からカーテン生地の端縁へと続く第２折返代４２に第２折目３２の折返方向と同方向に１８０度折り返して付けられた第３折目３３との３条の折目（３１・３２・３３）が平行に付けられており、（ロ）  端縁部のカーテン生地の本体部分１１と、第１折目３１と第２折目３２の間の第１折返代４１と、第２折目３２と第３折目３３の間の第２折返代４２が重なり、且つ、第１折目３１と第３折目３２が重なってカーテン生地の端縁部がＮ字状断面構造を成し、（ハ）  その重なり合う第１折返代４１と第２折返代４２が構成するＶ字溝状断面構造の折畳隙間３０に、第３折目３３からカーテン生地の端縁へと続く第３折返代４３が挟み込まれており、（ニ）  それら第１と第２と第３の各折目（３１・３２・３３）が１８０度折り返された状態にセットされており、（ホ）  第１折目３１から続くカーテン生地の折目のない本体部分１１に第２折目３２が接合されて密着している点にある。
【００１４】
本発明に係るパネル型カーテンの第９の特徴は、上記第８の特徴に加えて、カーテン生地の上縁部の表面生地１６がカーテン生地の本体部分１１と第１折返代４１の重なった二重構造を成し、カーテン生地の上縁の裏面生地１５が第２折返代４２と第３折返代４３の重なった二重構造を成している点にある。
【００１５】
【発明の実施の形態】
縁取支桿１２は、パネル型カーテンの開閉操作時にカーテン幅Ｗを一定に保つ部材である。縁取支桿１２にはパイプや樹脂強化ガラス繊維桿を使用することが出来るが、隣合うパネル型カーテンの上縁部同士の触れ合いを軽くするため、カーテン生地の厚み（表裏）方向における縁取支桿１２の寸法を７ｍｍ以下、好ましくは３ｍｍ以下にし、縁取支桿１２にはプラスチックやアルミニウム等の軽質量材料を用い、又、カーテン生地の上縁の垂れ下がりを回避するためには、縁取支桿１２の鉛直方向の寸法をカーテン生地の厚み方向の寸法よりも大きくし、縁取支桿１２が平板な長方形断面を成すようにするとよい（図３）。縁取支桿１２は、カーテン生地の厚み方向の寸法（厚み）が１ｍｍ以下の薄板であってもよい。そのような薄板は、布帛、紙、プラスチックシート、金属箔（薄板）等による複層積層構造、或いは、ハニカム構造の中間層を有する積層構造を成し、鋼薄板のように弾性と剛性を併せもつものとする。結露発生予防のためには、有機質資材によって縁取支桿１２を構成するとよい。吊り具１４は、カーテンレールを走行するランナーに係合する輪奈や鉤先を有するものであればよい。
【００１６】
開閉操作時に隣合うパネル型カーテンの縁取支桿１２や吊り具１４が触れ合わないようにするため、本発明では、カーテン生地の上縁部を裏面生地１５と表面生地１６で二重にし、その裏面生地１５と表面生地１６の間に縁取支桿１２と吊り具１４を挟み込んでいる。裏面生地１５と表面生地１６は、カーテン生地の上縁部の下側において、カーテン生地の上縁１３に平行に縫合し、その縫合ライン１７の上側に吊り具１４を配置し、その縫合ライン１７の下側に縁取支桿１２を配置し、カーテン生地を介して縁取支桿１２が吊り具１４に吊り上げられ、縁取支桿１２からの荷重を受けてカーテン生地の上縁１３が垂れ下がらないようにし、縁取支桿１２を介して吊り具１４によってカーテン生地全体が均等に吊り上げられるようにするために、又、カーテン生地の洗濯時に縁取支桿１２を取り外し易くするためにも、裏面生地１５と表面生地１６をカーテン生地の上縁１３に平行に上下二重に縫合し、その上側の第１縫合ライン１７と下側の第２縫合ライン１８の間に出来る空洞１９に、縁取支桿１２を挿抜自在に挿入する。挿入して取り付けた縁取支桿１２の取付跡が目立たないようにするには、裏面生地１５と表面生地１６の一方の第１縫合ライン１７から第２縫合ライン１８までの実寸法を他方の実寸法よりも長くし、使用時に表側に向けられるパネル型カーテンの使用面の裏側に空洞１９が脹らみ出るようにするとよい（図１・図２・図７）。
【００１７】
開閉操作時に隣合うパネル型カーテンのランナーとランナーが突き当たって受ける衝撃によって縁取支桿１２が飛び出ることがないようにするため、空洞１９の一端を縫目３５によって閉じ（図２と図９）、空洞１９の他端では底部側で裏面生地１５と表面生地１６を縫目３６によって綴じ合わせ、その縫目３６の上側に縁取支桿１２を挿入するための差込み孔３７を設け、その底部側の縫目３６に抑えられて差込み孔３７から縁取支桿１２が飛び出さないようにする（図２と図６と図９）。
【００１８】
開閉操作時に隣合うパネル型カーテンのランナーとランナーが衝突して吊り具や縁取支桿が衝撃を受けないようにするため、又、パネル型カーテンがカーテンレールの長さ方向に揺れ動かないようにするため、裏面生地１５と表面生地１６を吊り具１４の左右において縫合し、その左右の縫目２０・２１と縫合ライン１７に囲まれるポケット２２に吊り具１４を挟み込むとよい。好ましくは、開閉操作時に隣合うパネル型カーテンの吊り具と吊り具が絡み合うことがないように、吊り具１４をポケット内部２２に納め（図２と図６）、ランナーの取付時にポケット内部２２から突き出せるようにする（図５）。そのようにポケット内部に納めても、ポケット２２が可撓なカーテン生地で出来ているため、裏面生地１５と表面生地１６を押し崩すようにしてポケット内部から吊り具１４を突き出すことが出来る。従って、このように出没可能にポケット内部２２に納めることは、鉤先のある吊り具１４を使用する場合に特に有効である。ポケット内部２２から吊り具１４を突き出し易くするには、そのポケット内部に通じる開口２９をポケット２２の底部に付設し（図３）、その開口２９から桿状の治具３８を差し込み、その治具３８の先端で吊り具１４を突き上げるようにするとよい（図４）。
【００１９】
裏面生地と表面生地の間には、縫合ライン１７を溝底とするＶ溝が出来るが、裏面生地と表面生地が反り返ってＶ溝が開かないように、吊り具１４の取付箇所を除く他の部分において、裏面生地１５と表面生地１６の上縁を綴じ合わせておくとよい（図５）。その場合、裏面生地１５と表面生地１６の間に芯地２３（２４）を挟み込み、芯地２３（２４）によって裏面生地１５と表面生地１６を補強し、カーテン生地の縫合ライン１７から上の部分（上縁１３）が、カーテン生地の厚み方向に湾曲しないようにする。芯地２３・２４は、二重にして裏面生地１５と表面生地１６を縫合し、吊り具１４や縁取支桿１２が芯地２３と芯地２４の間に挟まれるようにするとよい。芯地２３・２４には、帯状乃至テープ状に織成または編成されて一部の糸条が輪奈２５を形成している一般市販のカーテン用テープ芯地を使用し、その輪奈２５を吊り具１４として適用するとよい。
【００２０】
吊り具１４は、Ｃ字状に折れ曲がって両端が鉤先になっているＣ字形フックやＳ字状に折れ曲がって両端が鉤先２６・２７になっているＳ字形フック２８をテープ芯地の輪奈２５に引っ掛け、フック２８と輪奈２５によって構成することも出来る。その場合、ランナーに引っ掛ける鉤先２６から第１縫合ライン１７までの距離Ｍを、カーテン生地の上縁１３から第１縫合ライン１７までの距離Ｎよりも短くし、鉤先２６がカーテン生地の上縁１３（ポケット内部２２）の外側に露出しないようにする。フック２８の鉤先２６から上側の頭部は、カーテン生地の上縁１３の外側に露出しても、開閉操作時に隣合うパネル型カーテンのフック（２８）とフック（２８）が絡み合ったり、フック（２８）がカーテン生地に引っ掛かるようなことはない。従って、フック２８の頭部が、カーテン生地の上縁１３（ポケット内部２２）の上側（外部）に露出していても、開閉操作の妨げにはならない。
【００２１】
カーテン生地の端縁部には、（イ）  カーテン生地を１８０度折り返して付けた第１折目３１と、その第１折目３１からカーテン生地の端縁へと続く第１折返代４１に第１折目３１の折返方向とは逆方向に１８０度折り返して付けた第２折目３２と、その第２折目３２からカーテン生地の端縁へと続く第２折返代４２に第２折目３２の折返方向と同方向に１８０度折り返して付けた第３折目３３との３条の折目（３１・３２・３３）を平行に付け、（ロ）  カーテン生地の内側へと続く端縁部の本体部分１１と、第１折目３１と第２折目３２の間の第１折返代４１と、第２折目３２と第３折目３３の間の第２折返代４２が重なり、且つ、第１折目３１と第３折目３２が重なったＮ字状断面構造にカーテン生地の端縁部を調製し、（ハ）  その第１折返代４１と第２折返代４２が重なり合って出来るＶ字溝状断面構造の折畳隙間３０に、第３折目３３から端縁３４へと続く第３折返代４３を挟み込む。
【００２２】
そのようにすると、折目のない本体部分１１から第１折返代４１に続く第１折目３１における外面は、第２折目３２において表裏反転する第２折返代４２に覆い隠されて内面となり、本体部分１１と第１折返代４１の向き合った内面が第２折返代４２から第３折返代４３に続く第３折目３３の外面になる。このため、パネル型カーテンの周縁に重なって現れる第１折目３１と第３折目３３とは、カーテン生地の表裏の間で異なる色調になる。そして、それらの折返代が重なって現れる片面では、その折目のない片面本体部分１１と同じ色調の第２折返代４２に縁取られているので、その折返代を含む片面全体が、折返代が現れない他の片面全体とは色調の異なる外観を呈することになる。その結果、常法に従って周縁が折り返され、周縁が色調の異なる折返代で縁取られる在来の折返代付き生地とは異なり、色調が異なる２枚の生地を重ね合わせた二重生地の如き観を呈し、表裏反転して使用しても違和感を与えないリバーシブル（反転表裏両用）パネル型カーテンが得られる。
【００２３】
第１折目３１と第２折目３２と第３折目３３を、その１８０度折り返された状態にセットするには、カーテン生地の端縁部にそれらの折目をマーキングし、そのマーキングに従って最初に第３折目３３を付け、その第３折目３３を熱セットし、或いは、重なり合う第２折返代４２と第３折返代４３を縫合し、次に第１折目３１を付け、その第１折目３１を熱セットし、或いは、重なり合う本体部分１１と第１折返代４１を縫合し、同時に、本体部分１１に重なり合う第１折返代４１と第２折返代４２の境目（マーキング）を本体部分１１に縫合し、最後に、その縫合ラインに沿って第２折目３２を付けるとよく、そうすることによって、第１折目３１から続く折目のないカーテン生地の本体部分１１に第２折目３２を密着接合することが出来る。このようにカーテン生地の上縁部をＮ字状断面構造にする場合、その第１折返代４１と第２折返代４２が重なり合って出来るＶ字溝状断面構造の折畳隙間３０（図８）を間に挟んで向き合う本体部分と第１折返代との二重生地（１１・４１）と第２折返代と第３折返代との二重生地（４２・４３）の何れか一方を裏面生地１５とし、その何れか他方を表面生地１６とし、それらの間の折畳隙間３０（図８）に縁取支桿１２と吊り具１４を挟み込む。芯地２３（２４）は、第１折返代４１と第２折返代４２の何れか一方または双方に取り付ける。第２折返代４２に取り付けるときは、第２折返代４２と第３折返代４３の間に芯地２３（２４）を挟み込んでもよいし、本体部分１１と第１折返代４１の間に芯地２３（２４）を挟み込むことも出来る。
【００２４】
【発明の効果】
本発明（請求項１）によると、カーテン生地の上縁１３の先後両端部の合計２箇所に吊り具１４を取り付けたので、隣合う一方のパネル型カーテンのランナーを、その隣合う他方のパネル型カーテンの先後両端の２つのランナーの間に介在させて、１本のカーテンレールに複数枚のパネル型カーテンを数珠繋ぎに連鎖させて吊り下げることが出来る。そのように複数枚のパネル型カーテンを開閉操作するカーテンレールが１本で済み、従って、既設の１本のカーテンレールに吊り下げられている既存の通常のカーテンに代えてパネル型カーテンを使用することが出来、又、そのようにカーテンレールが１本で済むので、パネル型カーテンの使用によって居住空間が狭まることはない。そのように数珠繋ぎに連鎖させて吊り下げるとしても、縁取支桿１２が裏面生地１５と表面生地１６に挟まれた空洞１９に挿入されているので、縁取支桿１２の先端が隣合うカーテン生地に突き刺さって折れたり、縁取支桿１２の先端が突き刺さってカーテン生地が破れる等の不都合は回避される。そして、吊り具１４が縁取支桿１２の上側に配置されており、縁取支桿１２が吊り具１４に吊り上げられることになるが、その縁取支桿１２が裏面生地１５と表面生地１６との空洞１９に挿入されているので、縁取支桿１２が吊り具１４との接合箇所の一点だけで吊り上げられるのではなく、縁取支桿１２の全体が吊り具１４に均等に吊り上げられることになり、先後両端部の吊り具１４と吊り具１４の間で縁取支桿１２がカーテン生地の厚み（表裏）方向に弓形に撓み出ることがなく、カーテン生地の上縁１３が一直線状に保たれて見栄えのよいパネル型カーテンとなる。
【００２５】
本発明（請求項２）によると、吊り具１４が裏面生地１５と表面生地１６の間に挟まれているので、開閉操作時に、隣合うパネル型カーテンの吊り具１４と吊り具１４が絡み合ったり、隣合うパネル型カーテンの上縁部が吊り具１４に擦られて綻びたり、吊り具１４がカーテン生地に引っ掛かって破損するようなことはなくなり、スムースに開閉出来、使い勝手がよく、表裏何れの側から見ても外観がスッキリして見栄えのよいパネル型カーテンが得られる。
【００２６】
本発明（請求項３）によると、上側の第１縫合ライン１７と下側の第２縫合ライン１８の間に出来る空洞１９に挿入したので、縁取支桿１２が裏面生地１５と表面生地１６に挟まれて把持され、開閉操作時に隣合うパネル型カーテンのランナーとランナーが突き当たっても縁取支桿１２が飛び出すことはなく、縁取支桿１２が密着してカーテン生地の上縁部を補強すると共に、プラスチックやアルミニウム等の軽量材質の細い縁取支桿１２でも裏面生地１５と表面生地１６に補強されて強靱な吊桿となり、それが縫合ライン１７の下側に配置されて吊り具１４に縁取支桿１２が吊り上げられるので、カーテン生地の上縁１３には縁取支桿１２の荷重が作用せず、カーテン生地全体１１が均等に吊り上げられる。そして、縁取支桿１２が空洞１９に挿入されて挿抜自在に把持されているので、洗濯時には縁取支桿１２を取り外すことが出来、カーテン生地の洗濯が容易になる。
【００２７】
本発明（請求項４）によると、吊り具１４は、ポケット内部２２で裏面生地１５と表面生地１６に挟まれており、カーテンレールの長さ方向においても左右の縫目２０・２１に挟まれており、その左右の縫目２０・２１が緩衝材となるので、開閉操作時に隣合うパネル型カーテンのランナーとランナーが衝突しても吊り具１４や縁取支桿１２が然程強い衝撃を受けることはなく、又、カーテン生地の上縁１３もカーテンレールの長さ方向に然程大きく揺れ動くことはなく、パネル型カーテンの開閉がスムースになる。
【００２８】
本発明（請求項５）によると、芯地２３・２４と縁取支桿１２がカーテン生地の厚み方向において密着した補強材となるので、カーテン生地の縫合ライン１７の上側部分がカーテン生地の厚み方向に弓形に反り難くなり、又、吊り具１４（輪奈２５）によってカーテン生地の上縁部が局部的に目立つ程に膨れあがることもなく、上縁１３が一直線状に保たれてパネル型カーテンが外観上スッキリしたものとなる。その吊り具１４が芯地２３（２４）の一部糸条（輪奈２５）によって構成され、洗濯時に吊り具をカーテン生地から取り外す手間も省かれ、その吊り具（輪奈２５）が洗濯の邪魔になることもなく、パネル型カーテンを洗濯によってクリーンに保ち易くなる。
【００２９】
本発明（請求項６）によると、Ｓ字形フック２８を介して仕様の異なる種々のランナーにパネル型カーテンを吊り下げることが出来、二つの何れの鉤先２６・２７を輪奈（２５）とランナーの何れに係合させるべきか使い分ける必要はなく、それら二つの鉤先２６と鉤先２７を結ぶ連結部によってその二つの鉤先２６・２７の間が仕切られているので、その一方の鉤先２６（２７）を輪奈（２５）やランナーに引っ掛けるとき他方の鉤先２７（２６）が邪魔になることがなく、輪奈（２５）やランナーへの係脱作業が楽になる。
【００３０】
本発明（請求項７）によると、鉤先２６・２７がポケット２２に納められているので、開閉操作時に隣合うパネル型カーテンのフック（２８）とフック（２８）が絡み合ったり、フック（２８）がカーテン生地に引っ掛かることはなく、又、カーテン生地の上縁１３とカーテンレールの間に隙間なくパネル型カーテンを吊るすことが出来、間仕切りに使用するパネル型カーテンの遮光、気密、防臭、防塵、防音、防炎などの効用を高めることが出来る。そして、吊り具１４がポケット内部２２に納められるとしても、ポケット２２が可撓なカーテン生地で構成されており、ポケット２２を押し曲げて突き出すことが出来るので、ランナーとの付け外しに支障を来すことはない。
【００３１】
本発明（請求項８）によると、折返代が現れるカーテン生地の片面が、その折返代を含む全体の色調が同じになり、又、その折返代が現れないカーテン生地の他の片面とは色調を異にするので、パネル型カーテン全体が恰も色調が異なる２枚の生地を重ね合わせた二重生地の如き豪華な観を呈し、表裏反転して使用しても如何にも裏返しにしたかの如き違和感を与えることがなく、四季に応じて表裏反転し、季節毎に表裏の異なる美観を鑑賞することが出来るリバーシブル（反転表裏両用）パネル型カーテンが得られる。加えて、カーテン生地の上縁部を裏面生地１５と表面生地１６との二重構造にするために、パネル型カーテン全体を必ずしも２枚の生地を重ね合わせた二重構造にする必要もなくなる点でも、本発明は経済的で実用的ある。
【００３２】
本発明（請求項９）によると、カーテン生地の上縁部の表面生地１６と裏面生地１５が一枚の連続した生地で構成されるので、表面生地と裏面生地を別々に裁断して縫合する場合に比して縫製仕立効率が向上し、縫製仕立過程での裁断屑も激減し、又、表面生地１６と裏面生地１５がそれぞれ折返代による二重構造を成すので、必ずしも芯地が必要とされず、カーテン生地の上縁１３が一直線状に保たれて型崩れし難く、上縁１３の見栄えがよく、全体がスッキリしたパネル型カーテンを経済的に得ることが出来る。
【図面の簡単な説明】
【図１】本発明に係るパネル型カーテンの要部斜視図である。
【図２】本発明に係るパネル型カーテンの要部斜視図である。
【図３】本発明に係るパネル型カーテンの要部斜視図である。
【図４】本発明に係るパネル型カーテンの要部斜視図である。
【図５】本発明に係るパネル型カーテンの要部斜視図である。
【図６】本発明に係るパネル型カーテンの要部斜視図である。
【図７】本発明に係るパネル型カーテンの斜視図であり、要部を円で囲んで拡大して図示している。
【図８】本発明に係るパネル型カーテンの断面側面図である。
【図９】本発明に係るパネル型カーテンの正面図であり、要部を円で囲んで拡大して図示している。
【図１０】従来のパネル型カーテンの斜視図である。
【符号の説明】
１１  カーテン生地
１２  縁取支桿
１３  カーテン生地の上縁
１４  吊り具
１５  裏面生地
１６  表面生地
１７  縫合ライン（第１縫合ライン）
１８  第２縫合ライン
１９  空洞
２０・２１  縫目
２２  ポケット
２３・２４  芯地
２５  輪奈
２６・２７  鉤先
２８  フック
２９  開口
３０  折畳隙間
３１  第１折目
３２  第２折目
３３  第３折目
３４  カーテン生地の端縁
３５  縫目
３６  縫目
３７  差込孔
３８  治具
４１  第１折返代
４２  第２折返代
４３  第３折返代
５１・５２  ランナー
５３  嵌合孔
５４  縁取支桿の先端
５５  ストッパー
５６  フック
５８  パネル型カーテン
５９  カーテンレール
【図１】
0003851985.tif 000002
【図２】
0003851985.tif 000003
【図３】
0003851985.tif 000004
【図４】
0003851985.tif 000005
【図５】
0003851985.tif 000006
【図６】
0003851985.tif 000007
【図７】
0003851985.tif 000008
【図８】
0003851985.tif 000009
【図９】
0003851985.tif 000010
【図１０】
0003851985.tif 000011